(57)【要約】【課題】写真をデジタル化してユーザに提供するサービスにおいて、サービス利用時のユーザの負担を少なくし、更なる利便性の向上を図る。【解決手段】写真を画像データに変換してユーザに提供するサービスを行うための写真変換サービス装置５の制御部５２は、デジタルカメラ１で撮影された撮影画像データに付属する撮影付属情報を取得し、取得した撮影付属情報に固有のＩＤを設定して、撮影付属情報とＩＤを対応付けてＩＤ・撮影付属情報データベース５３に登録する。そして、店舗端末３から、写真をデジタル変換して得られた写真画像データ及びその写真画像データに付属させる撮影付属情報のＩＤを取得すると、ＩＤ・撮影付属情報データベース５３から、取得したＩＤに対応する撮影付属情報を取得し、取得した撮影付属情報と写真画像データとを対応付けて画像データＤＢ５４に記録する。【選択図】図１
2006202116.tif 000002
【特許請求の範囲】
【請求項１】
写真を画像データに変換してユーザに提供するサービスを行うための写真変換サービス装置であって、
写真をデジタル変換して得られた写真画像データ及びその写真画像データに付属させる撮影付属情報を指定するための指定情報を取得する第１の情報取得手段と、
撮像素子によって得られた撮影画像データに付属する撮影付属情報と前記指定情報とが対応付けて登録されているデータベースから、前記取得した指定情報に対応する撮影付属情報を取得する第２の情報取得手段と、
前記取得した撮影付属情報と前記写真画像データとを対応付けて出力する出力手段とを備える写真変換サービス装置。
【請求項２】
請求項１記載の写真変換サービス装置であって、
前記撮影画像データに付属する撮影付属情報を取得する第３の情報取得手段と、
前記撮影付属情報と前記指定情報を対応付けて前記データベースに登録する撮影付属情報登録手段とを備える写真変換サービス装置。
【請求項３】
コンピュータを、請求項１又は２記載の写真変換サービス装置の各手段として機能させるための写真変換サービスプログラム。
【発明の詳細な説明】
【技術分野】
【０００１】
本発明は、写真を画像データに変換してユーザに提供するサービスを行うための写真画像変換サービス装置に関する。
【背景技術】
【０００２】
写真（銀塩フィルム上に形成された画像や記録材料に現像された画像等）をデジタル化してユーザに提供するサービスが現在行われている。このサービスでは、まずユーザが、デジタル化したい写真と、デジタル化後の画像データに付属させたい撮影日時や撮影場所等を記載した紙とを店舗に送る。店舗側では、その写真をデジタル変換してコンピュータに入力すると共に、その写真の撮影日時や撮影場所等をコンピュータに入力する。そして、デジタル化した画像データと、その画像データに付属させるべき撮影日時や撮影場所等を示す撮影付属情報（デジタルデータ）とを対応付けてＤＶＤ等の記録媒体に記録し、この記録媒体をユーザに渡すといったことを行っている。
【０００３】
写真をデジタル化した画像データを、インターネット経由でユーザに提供するシステムとしては特許文献１記載のものがある。
【０００４】
【特許文献１】特開２００２−２６８９８８号公報
【発明の開示】
【発明が解決しようとする課題】
【０００５】
上記サービスでは、撮影日時や撮影場所等を、ユーザが写真毎に紙に記載しておく必要があるため、サービス利用時におけるユーザの負担が大きくなってしまう。
【０００６】
本発明は、上記事情に鑑みてなされたものであり、写真をデジタル化してユーザに提供するサービスにおいて、サービス利用時のユーザの負担を少なくし、更なる利便性の向上を図ることを目的とする。
【課題を解決するための手段】
【０００７】
本発明の写真変換サービス装置は、写真を画像データに変換してユーザに提供するサービスを行うための写真変換サービス装置であって、写真をデジタル変換して得られた写真画像データ及びその写真画像データに付属させる撮影付属情報を指定するための指定情報を取得する第１の情報取得手段と、撮像素子によって得られた撮影画像データに付属する撮影付属情報と前記指定情報とが対応付けて登録されているデータベースから、前記取得した指定情報に対応する撮影付属情報を取得する第２の情報取得手段と、前記取得した撮影付属情報と前記写真画像データとを対応付けて出力する出力手段とを備える。
【０００８】
この構成により、写真をデジタル化してユーザに提供するサービスにおいて、サービス利用時のユーザの負担を少なくし、更なる利便性の向上を図ることができる。
【０００９】
本発明の写真変換サービス装置は、前記撮影画像データに付属する撮影付属情報を取得する第３の情報取得手段と、前記撮影付属情報と前記指定情報を対応付けて前記データベースに登録する撮影付属情報登録手段とを備える。
【００１０】
本発明の写真変換サービスプログラムは、コンピュータを、前記写真変換サービス装置の各手段として機能させるためのプログラムである。
【発明の効果】
【００１１】
本発明によれば、写真をデジタル化してユーザに提供するサービスにおいて、サービス利用時のユーザの負担を少なくし、更なる利便性の向上を図ることができる。
【発明を実施するための最良の形態】
【００１２】
以下、本発明の実施形態について図面を参照して説明する。
【００１３】
図１は、本発明の実施形態を説明するための写真変換サービスを提供するシステムの概略構成を示す図である。
図１に示すシステムは、ユーザの所持するデジタルカメラ１と、ユーザの所持するパーソナルコンピュータ（ＰＣ）２と、写真変換サービスの注文を受け付ける店舗に設置されたコンピュータ等の店舗端末３と、インターネット等のネットワーク４と、写真変換サービス装置５とを備える。ＰＣ２、店舗端末３、及び写真変換サービス装置５は、それぞれネットワーク４に接続されている。
【００１４】
写真変換サービス装置５は、通信部５１と、制御部５２（特許請求の範囲の第１〜第３の情報取得手段、出力手段、撮影付属情報登録手段に該当）と、ＩＤ・撮影付属情報データベース（ＤＢ）５３と、画像データＤＢ５４とを備える。
【００１５】
通信部５１は、ネットワーク４を介してＰＣ２や店舗端末３と通信するための通信インターフェース等から構成される。
【００１６】
制御部５２は、所定のプログラムによって動作するプロセッサを主体に構成され、写真変換サービス装置５全体を統括制御する。
【００１７】
ＩＤ・撮影付属情報ＤＢ５３は、デジタルカメラ１に含まれるＣＣＤ型イメージセンサやＣＭＯＳ型イメージセンサ等の撮像素子による撮像で得られた撮影画像データに付属する撮影付属情報（撮影場所や撮影日時等を示す情報）と、その撮影付属情報に固有のＩＤとを対応付けて記録するハードディスク等の記録媒体である。
【００１８】
画像データＤＢ５４は、写真をデジタル化して得られた画像データ（以下、写真画像データという）を、ユーザから指定されたＩＤに対応する撮影付属情報と対応付けて記録するハードディスク等の記録媒体である。
【００１９】
次に、写真変換サービスの流れについて説明する。以下では、ユーザが、デジタルカメラ１と銀塩フィルムを用いて撮影を行うカメラ（以下、銀塩カメラという）とを持って旅行に行き、デジタルカメラとカメラの両方を使って撮影を行った場合を例にして説明する。
【００２０】
デジタルカメラ１に搭載された記録媒体には、図２に示すように、旅行先で撮影して得られた撮影画像データ本体と、その撮影位置（緯度・経度等）を示す位置情報、撮影した日付を示す日付情報、及び撮影した時刻を示す時刻情報等の撮影付属情報とが記録されている。撮影付属情報は、例えば撮影画像データ本体のヘッダ等に記録されている。
【００２１】
図３は、本発明の実施形態を説明するための写真変換サービス装置の動作を説明するためのフローチャートである。
まず、ユーザは、デジタルカメラ１をＰＣ２に接続し、旅行先で撮影して得られた撮影画像データに付属する撮影付属情報を、ＰＣ２に取り込み、ネットワーク４を介して写真変換サービス装置５に送信する。
【００２２】
写真変換サービス装置５の制御部５２は、通信部５１で受信した撮影付属情報を取得し（Ｓ１０１）、撮影付属情報に固有のＩＤを設定し、撮影付属情報とそのＩＤとを対応付けてＩＤ・撮影付属情報ＤＢ５３に登録する（Ｓ１０２）。このＩＤが、写真をデジタル化する注文を行う際に、デジタル化後の写真画像データに付属させる撮影付属情報を指定するための指定情報となる。
【００２３】
図４は、ＩＤ・撮影付属情報ＤＢに登録された情報の例を示す図である。
図４に示すように、ＩＤ・撮影付属情報ＤＢ５３には、複数の撮影付属情報と、それぞれのＩＤ（ａ〜ｄ）とが対応付けて記録される。
【００２４】
制御部５２は、撮影付属情報とそのＩＤを通信部５１からＰＣ２に送信させる（Ｓ１０３）。これにより、ユーザは、ＰＣ２に接続された表示装置によって、どのＩＤがどういった撮影付属情報と対応付けられているかを知ることができる。
【００２５】
次に、ユーザは、銀塩カメラで撮影した写真を現像し、現像した写真と、その写真をデジタル化した写真画像データに付属させる撮影付属情報を指定するためのＩＤを記載した紙とを、店舗端末３の設置された店舗に持っていく。
【００２６】
店舗では、ユーザから提供された写真が、例えばスキャナ等によって写真画像データに変換される。そして、写真画像データと、ＩＤとが店舗端末３に入力され、店舗端末３から、写真画像データ及びＩＤが写真変換サービス装置５に送信される。
【００２７】
制御部５２は、通信部５１で受信した写真画像データ及びＩＤを取得し（Ｓ１０４）、取得したＩＤに対応する撮影付属情報を、ＩＤ・撮影付属情報ＤＢ５３から取得する（Ｓ１０５）。そして、取得した写真画像データと、取得した撮影付属情報とを対応付けて、画像データＤＢ５４に記録する。例えば、写真画像データのヘッダに撮影付属情報を記録した形で画像データＤＢ５４に記録する（Ｓ１０６）。尚、制御部５２は、取得した写真画像データと、取得した撮影付属情報とを対応付けた形で外部に出力できれば良く、例えば、画像データＤＢ５４に記録せずに、直接ＰＣ２に送信しても良い。
【００２８】
制御部５２は、画像データＤＢ５４に記録した写真画像データのアドレス情報を通信部５１からＰＣ２に送信させる（Ｓ１０７）。これにより、ユーザは、ＰＣ２で受信したアドレスにアクセスすることで、写真から変換された写真画像データを得ることができる。又、この写真画像データには、注文時に指定したＩＤに対応する撮影付属情報が付属しているため、デジタルカメラで撮影した撮影画像データと同等の情報を得ることができる。
【００２９】
デジタルカメラが普及してきたとはいえ、デジタルカメラと銀塩カメラを一緒に持ち歩くユーザは多くいる。デジタルカメラで撮影して得られる撮影画像データには撮影付属情報が付属されていることから、本実施形態のように、これを利用して写真画像データに撮影付属情報を付属させることで、ユーザのサービス利用時の負担を軽くすることができる。又、ＩＤ・撮影付属情報ＤＢ５３に登録された情報を公開しておくことで、ユーザが旅行先にデジタルカメラを持っていかなかった場合でも、そこに登録された情報から、所望の撮影付属情報に対応するＩＤを探して、そのＩＤを写真に対して指定することが可能となる。
【００３０】
従来は、ユーザが撮影日時や撮影場所を紙に記載し、紙に記載された撮影日時や撮影場所を、店舗の従業員が店舗端末３に入力するといった作業が必要であったが、本実施形態のシステムによれば、ユーザは紙にＩＤを記載するのみで良く、従業員もＩＤを店舗端末３に入力するのみで良くなり、サービス提供者とサービス利用者の双方にとって利便性の高いサービスが実現可能となる。
【図面の簡単な説明】
【００３１】
【図１】本発明の実施形態を説明するための写真変換サービスを提供するシステムの概略構成を示す図
【図２】デジタルカメラの記録媒体に記録されている情報の一例を示す図
【図３】本発明の実施形態を説明するための写真変換サービス装置の動作を説明するためのフローチャート
【図４】ＩＤ・撮影付属情報ＤＢに登録された情報の一例を示す図
【符号の説明】
【００３２】
１  デジタルカメラ
２  ＰＣ
３  店舗端末
４  ネットワーク
５  写真変換サービス装置
５１  通信部
５２  制御部
５３  ＩＤ・撮影付属情報データベース
５４  画像データＤＢ
【図１】
2006202116.tif 000003
【図２】
2006202116.tif 000004
【図３】
2006202116.tif 000005
【図４】
2006202116.tif 000006